【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
複数の第１の通信ポートを有する情報処理装置と、複数の第２の通信ポートを有するスイッチと、複数の第３の通信ポート及び複数の記憶ボリュームを有するストレージ装置とを備え、前記第１の通信ポート及び前記第３の通信ポートが前記第２の通信ポートと１対１に通信可能に接続されてなる情報処理システムにおける前記情報処理装置であって、
前記第１の通信ポートの識別子と、前記第１の通信ポートに接続される前記第２の通信ポートの識別子とにより特定される第１のパス、前記第３の通信ポートの識別子と、前記第３の通信ポートに接続される前記第２の通信ポートの識別子とにより特定される第２のパス、及び前記第３の通信ポートの識別子と第１の前記記憶ボリュームの識別子とにより特定される第３のパス、により特定される、前記第１の通信ポートから前記第１の記憶ボリュームへの第１の通信路により第１のデータ入出力要求を送信する第１のデータ入出力要求送信部と、
前記第１のデータ入出力要求に対する前記ストレージ装置からの応答を所定時間内に受信できない場合に、
前記第１の通信路に対して、
前記第１のパスが同じで、前記第２のパス及び前記第３のパスが異なる前記第１の記憶ボリュームへの第２の通信路、及び
前記第１のパス及び前記第２のパスが同じで、前記第３のパスが異なる、第２の前記記憶ボリュームへの第３の通信路、
により、それぞれ第２乃至第３のデータ入出力要求を送信する第２のデータ入出力要求送信部と、
前記第１の通信路上の前記第１の通信ポートとは異なる前記第１の通信ポートから、前記スイッチに、
前記第１の通信路上の前記第１の通信ポートに接続される前記第２の通信ポート、及び
前記第１の通信路上の前記第３の通信ポートに接続される前記第２の通信ポート、
をそれぞれ検査するための第１及び第２の検査要求を送信する検査要求送信部と、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信せず、かつ、前記第１の検査要求に対する前記スイッチからの応答を所定時間内に受信した場合には、前記第１の通信路における前記第１の通信ポートを異常と判定する異常箇所判定部と、
を備えることを特徴とする情報処理装置。
【請求項２】
前記異常箇所判定部は、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信せず、かつ、前記第１の検査要求に対する前記スイッチからの応答を所定時間内に受信しない場合には、前記第１の通信路における前記第１の通信ポートに接続される前記第２の通信ポートを異常と判定すること
を特徴とする請求項１に記載の情報処理装置。
【請求項３】
前記異常箇所判定部は、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信し、かつ、前記第２の検査要求に対する前記スイッチからの応答を所定時間内に受信しない場合には、前記第１の通信路における前記第３の通信ポートに接続される前記第２の通信ポートを異常と判定すること
を特徴とする請求項１に記載の情報処理装置。
【請求項４】
前記異常箇所判定部は、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信し、かつ、前記第２の検査要求に対する前記スイッチからの応答を所定時間内に受信した場合には、前記第１の通信路における前記第３の通信ポートを異常と判定すること
を特徴とする請求項１に記載の情報処理装置。
【請求項５】
前記異常箇所判定部は、
前記第３の通信路により送信された前記第３のデータ入出力要求に対する前記ストレージ装置からの応答を所定時間内に受信した場合には、前記第１の記憶ボリュームを異常と判定すること
を特徴とする請求項１に記載の情報処理装置。
【請求項６】
前記第１のデータ入出力要求は、前記第１の記憶ボリュームに対するデータの読み出し要求、又は書き込み要求であり、
前記第２のデータ入出力要求及び前記第３のデータ入出力要求は、ＳＣＳＩ規格で定められたＴＵＲコマンドであること
を特徴とする請求項１に記載の情報処理装置。
【請求項７】
前記情報処理装置はホストバスアダプタを備え、
前記第１の通信ポートは、前記ホストバスアダプタが備える通信ポートであること
を特徴とする請求項１に記載の情報処理装置。
【請求項８】
前記異常箇所判定部による判定の結果をユーザインタフェースに表示する判定表示部と、
を備えることを特徴とする請求項１に記載の情報処理装置。
【請求項９】
複数の第１の通信ポートを有する情報処理装置と、複数の第２の通信ポートを有するスイッチと、複数の第３の通信ポート及び複数の記憶ボリュームを有するストレージ装置とを備え、前記第１の通信ポート及び前記第３の通信ポートが前記第２の通信ポートと１対１に通信可能に接続されてなる情報処理システムにおける前記情報処理装置の制御方法であって、
前記情報処理装置が、前記第１の通信ポートの識別子と、前記第１の通信ポートに接続される前記第２の通信ポートの識別子とにより特定される第１のパス、前記第３の通信ポートの識別子と、前記第３の通信ポートに接続される前記第２の通信ポートの識別子とにより特定される第２のパス、及び前記第３の通信ポートの識別子と第１の前記記憶ボリュームの識別子とにより特定される第３のパス、により特定される、前記第１の通信ポートから前記第１の記憶ボリュームへの第１の通信路により第１のデータ入出力要求を送信し、
前記情報処理装置が、前記第１のデータ入出力要求に対する前記ストレージ装置からの応答を所定時間内に受信できない場合に、前記第１の通信路に対して、前記第１のパスが同じで、前記第２のパス及び前記第３のパスが異なる前記第１の記憶ボリュームへの第２の通信路、及び前記第１のパス及び前記第２のパスが同じで、前記第３のパスが異なる、第２の前記記憶ボリュームへの第３の通信路、により、それぞれ第２乃至第３のデータ入出力要求を送信し、
前記情報処理装置が、前記第１の通信路上の前記第１の通信ポートとは異なる前記第１の通信ポートから、前記スイッチに、前記第１の通信路上の前記第１の通信ポートに接続される前記第２の通信ポート、及び前記第１の通信路上の前記第３の通信ポートに接続される前記第２の通信ポート、をそれぞれ検査するための第１及び第２の検査要求を送信し、
前記情報処理装置が、前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信せず、かつ、前記第１の検査要求に対する前記スイッチからの応答を所定時間内に受信した場合には、前記第１の通信路における前記第１の通信ポートを異常と判定すること
を特徴とする情報処理装置の制御方法。
【請求項１０】
前記情報処理装置が、前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信せず、かつ、前記第１の検査要求に対する前記スイッチからの応答を所定時間内に受信しない場合には、前記第１の通信路における前記第１の通信ポートに接続される前記第２の通信ポートを異常と判定すること
を特徴とする請求項９に記載の情報処理装置の制御方法。
【請求項１１】
前記情報処理装置が、前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信し、かつ、前記第２の検査要求に対する前記スイッチからの応答を所定時間内に受信しない場合には、前記第１の通信路における前記第３の通信ポートに接続される前記第２の通信ポートを異常と判定すること
を特徴とする請求項９に記載の情報処理装置の制御方法。
【請求項１２】
前記情報処理装置が、前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信し、かつ、前記第２の検査要求に対する前記スイッチからの応答を所定時間内に受信した場合には、前記第１の通信路における前記第３の通信ポートを異常と判定すること
を特徴とする請求項９に記載の情報処理装置の制御方法。
【請求項１３】
前記情報処理装置が、前記第３の通信路により送信された前記第３のデータ入出力要求に対する前記ストレージ装置からの応答を所定時間内に受信した場合には、前記第１の記憶ボリュームを異常と判定すること
を特徴とする請求項９に記載の情報処理装置の制御方法。
【請求項１４】
前記第１のデータ入出力要求は、前記第１の記憶ボリュームに対するデータの読み出し要求、又は書き込み要求であり、
前記第２のデータ入出力要求及び前記第３のデータ入出力要求は、ＳＣＳＩ規格で定められたＴＵＲコマンドであること
を特徴とする請求項９に記載の情報処理装置の制御方法。
【請求項１５】
前記情報処理装置はホストバスアダプタを備え、
前記第１の通信ポートは、前記ホストバスアダプタが備える通信ポートであること
を特徴とする請求項９に記載の情報処理装置の制御方法。
【請求項１６】
前記判定の結果をユーザインタフェースに表示すること
を特徴とする請求項９に記載の情報処理装置の制御方法。
【請求項１７】
複数の第１の通信ポートを有する情報処理装置と、複数の第２の通信ポートを有するスイッチと、複数の第３の通信ポート及び複数の記憶ボリュームを有するストレージ装置と、を備え、前記第１の通信ポート及び前記第３の通信ポートが前記第２の通信ポートと１対１に通信可能に接続されてなる情報処理システムにおける前記情報処理装置であって、
前記第１の通信ポートの識別子と、前記第１の通信ポートに接続される前記第２の通信ポートの識別子とにより特定される第１のパス、前記第３の通信ポートの識別子と、前記第３の通信ポートに接続される前記第２の通信ポートの識別子とにより特定される第２のパス、及び前記第３の通信ポートの識別子と第１の前記記憶ボリュームの識別子とにより特定される第３のパス、により特定される、前記第１の通信ポートから前記第１の記憶ボリュームへの第１の通信路により第１のデータ入出力要求を送信する第１のデータ入出力要求送信部と、
前記第１のデータ入出力要求に対する前記ストレージ装置からの応答を所定時間内に受信できない場合に、
前記第１の通信路に対して、
前記第１のパスが同じで、前記第２のパス及び前記第３のパスが異なる前記第１の記憶ボリュームへの第２の通信路、及び
前記第１のパス及び前記第２のパスが同じで、前記第３のパスが異なる、第２の前記記憶ボリュームへの第３の通信路、
により、それぞれ第２乃至第３のデータ入出力要求を送信する第２のデータ入出力要求送信部と、
前記第１の通信路上の前記第１の通信ポートとは異なる前記第１の通信ポートから、前記スイッチに、
前記第１の通信路上の前記第１の通信ポートに接続される前記第２の通信ポート、及び
前記第１の通信路上の前記第３の通信ポートに接続される前記第２の通信ポート、
をそれぞれ検査するための第１及び第２の検査要求を送信する検査要求送信部と、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信せず、かつ、前記第１の検査要求に対する前記スイッチからの応答を所定時間内に受信した場合には、前記第１の通信路における前記第１の通信ポートを異常と判定し、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信せず、かつ、前記第１の検査要求に対する前記スイッチからの応答を所定時間内に受信しない場合には、前記第１の通信路における前記第１の通信ポートに接続される前記第２の通信ポートを異常と判定し、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信し、かつ、前記第２の検査要求に対する前記スイッチからの応答を所定時間内に受信しない場合には、前記第１の通信路における前記第３の通信ポートに接続される前記第２の通信ポートを異常と判定し、
前記第３の通信路により送信された前記第３のデータ入出力要求に対する前記ストレージ装置からの応答を所定時間内に受信せず、かつ、前記第２の通信路により送信された前記第２のデータ入出力要求に対する前記ストレージ装置からの応答を所定時間内に受信し、かつ、前記第２の検査要求に対する前記スイッチからの応答を所定時間内に受信した場合には、前記第１の通信路における前記第３の通信ポートを異常と判定し、
前記第３の通信路により送信された前記第３のデータ入出力要求に対する前記ストレージ装置からの応答を所定時間内に受信した場合には、前記第１の記憶ボリュームを異常と判定する異常箇所判定部と、
前記異常箇所判定部による判定の結果をユーザインタフェースに表示する判定表示部と、
を備えることを特徴とする情報処理装置。